(57)【要約】【課題】組立作業の煩雑化を招来することなく、フレームの見込み面と面材の端面との間の隙間寸法が異なる建具の間で共用化を図る。【解決手段】面材２１の端面と下框２３の上面２３１ａとの間に介在し、上面４１ｂを介して面材２１の端面に当接することにより、下框２３の上面２３１ａと面材２１の端面との間に所望の隙間を確保するセッティングブロック４０であって、上面４１ｂを有し、下面４１ａを下框２３の上面２３１ａに対向させた状態で下框２３に配置されるブロック本体４１と、ブロック本体４１の下面４１ａから突出し、下框２３の上面２３１ａを構成する上壁部分に形成した挿通孔２３１ｂに挿入される挿入部４２とを有し、挿入部４２は、ブロック本体４１よりも外形寸法の小さい第１挿入部分４２ａと、第１挿入部分４２ａよりも下面４１ａから離隔した部位に形成し、第１挿入部分４２ａよりも外形寸法の小さい第２挿入部分４２ｂとを有する。【選択図】図１
2016044395.tif 000002
【特許請求の範囲】
【請求項１】
面材の端面とフレームの見込み面との間に介在し、当接面を介して前記面材の端面に当接することにより、前記フレームの見込み面と前記面材の端面との間に所望の隙間を確保するセッティングブロックであって、
前記当接面を有し、かつ基端面を前記フレームの見込み面に対向させた状態で前記フレームに配置されるブロック本体と、前記ブロック本体の基端面から突出し、前記フレームの見込み面を構成する壁部分に形成した挿通孔に挿入される挿入部とを有し、
前記挿入部は、前記ブロック本体よりも外形寸法の小さい第１挿入部分と、前記第１挿入部分よりも前記基端面から離隔した部位に形成し、前記第１挿入部分よりも外形寸法の小さい第２挿入部分とを有することを特徴とするセッティングブロック。
【請求項２】
前記挿入部は、前記第１挿入部分と前記第２挿入部分との間に前記ブロック本体の基端面と平行となる支持面を有することを特徴とする請求項１に記載のセッティングブロック。
【請求項３】
前記ブロック本体は、長辺と短辺とを有した直方体状を成すものであり、
前記挿入部は、柱状を成し、前記ブロック本体の長辺に沿って複数本配設したことを特徴とする請求項１に記載のセッティングブロック。
【請求項４】
前記ブロック本体は、長辺と短辺とを有した直方体状を成すものであり、
前記挿入部は、前記ブロック本体の長辺に沿って幅広に形成したものであることを特徴とする請求項１に記載のセッティングブロック。
【請求項５】
請求項１〜請求項４のいずれか一つに記載のセッティングブロックを面材の端面とフレームの見込み面との間に介在させたことを特徴とする建具。
【発明の詳細な説明】
【技術分野】
【０００１】
本発明は、セッティングブロック及び建具に関するものである。
【背景技術】
【０００２】
通常の建具においては、例えば下枠や下框等のフレームとガラス板等の面材との間にセッティングブロックを介在させるようにしている。セッティングブロックは、例えばポリプロピレン等の樹脂材によって直方体状に成形されたものである。このセッティングブロックは、当接面を介して面材の端面に当接することにより、フレームの見込み面と面材の端面との間に所望の隙間を確保している。
【０００３】
フレームの見込み面と面材の端面との間に確保する隙間は、建具の種類によって様々である。従って、確保すべき隙間の寸法に応じて複数種類のセッティングブロックを用意しなければならないという問題がある。
【０００４】
このため従来では、互いに傾斜面を介して当接する２つのブロック部分を備えてセッティングブロックを構成するようにしたものがある。この従来技術によれば、ブロック部分を相対的にスライドさせると、厚さ方向の寸法が変化するため、確保すべき隙間の寸法が異なる建具の間でセッティングブロックの共用化を図ることが可能となる（例えば、特許文献１参照）。
【先行技術文献】
【特許文献】
【０００５】
【特許文献１】実開平６−１６８９号公報
【発明の概要】
【発明が解決しようとする課題】
【０００６】
しかしながら、２つのブロック部分を備えたセッティングブロックにあっては、確保すべき隙間の寸法に応じて都度調整作業を行う必要があり、建具の組立作業が煩雑化することになる。
【０００７】
本発明は、上記実情に鑑みて、組立作業の煩雑化を招来することなく、フレームの見込み面と面材の端面との間の隙間寸法が異なる建具の間で共用化を図ることのできるセッティングブロック及び建具を提供することを目的とする。
【課題を解決するための手段】
【０００８】
上記目的を達成するため、本発明に係るセッティングブロックは、面材の端面とフレームの見込み面との間に介在し、当接面を介して前記面材の端面に当接することにより、前記フレームの見込み面と前記面材の端面との間に所望の隙間を確保するセッティングブロックであって、前記当接面を有し、かつ基端面を前記フレームの見込み面に対向させた状態で前記フレームに配置されるブロック本体と、前記ブロック本体の基端面から突出し、前記フレームの見込み面を構成する壁部分に形成した挿通孔に挿入される挿入部とを有し、前記挿入部は、前記ブロック本体よりも外形寸法の小さい第１挿入部分と、前記第１挿入部分よりも前記基端面から離隔した部位に形成し、前記第１挿入部分よりも外形寸法の小さい第２挿入部分とを有することを特徴とする。
【０００９】
この発明によれば、フレームの見込み面を構成する部分に内径の異なる挿通孔を形成することにより、フレームの見込み面からブロック本体の当接面までの距離を変更することができる。従って、このセッティングブロックによれば、調整作業を行うことなく、フレームの見込み面と面材の端面との間の隙間寸法が異なる建具の間で共用することが可能となる。
【００１０】
また本発明は、上述したセッティングブロックにおいて、前記挿入部は、前記第１挿入部分と前記第２挿入部分との間に前記ブロック本体の基端面と平行となる支持面を有することを特徴とする。
【００１１】
この発明によれば、第１挿入部分と第２挿入部分との間の支持面を当接させることによってセッティングブロックがフレームの見込み面に支持される。支持面としては、必ずしも挿入部の全周にある必要はなく、挿入部の一部にのみあれば良い。
【００１２】
また本発明は、上述したセッティングブロックにおいて、前記ブロック本体は、長辺と短辺とを有した直方体状を成すものであり、前記挿入部は、柱状を成し、前記ブロック本体の長辺に沿って複数本配設したことを特徴とする。
【００１３】
この発明によれば、複数の挿入部によってセッティングブロックが安定した状態でフレームの見込み面に支持される。挿入部の断面形状としては、円形であっても良いし、多角形状に構成することも可能である。挿入部の第１挿入部分と第２挿入部分とは、必ずしも同じ断面形状である必要はない。
【００１４】
また本発明は、上述したセッティングブロックにおいて、前記ブロック本体は、長辺と短辺とを有した直方体状を成すものであり、前記挿入部は、前記ブロック本体の長辺に沿って幅広に形成したものであることを特徴とする。
【００１５】
この発明によれば、幅広に形成した挿入部によってセッティングブロックが安定した状態でフレームの見込み面に支持される。
【００１６】
また本発明に係る建具は、上述したいずれか一つに記載のセッティングブロックを面材の端面とフレームの見込み面との間に介在させたことを特徴とする。
【００１７】
この発明によれば、フレームの見込み面を構成する部分に内径の異なる挿通孔を形成することにより、フレームの見込み面からブロック本体の当接面までの距離を変更することができる。従って、この建具によれば、調整作業を行うことなく、フレームの見込み面と面材の端面との間の隙間寸法が異なるものの間でセッティングブロックを共用することが可能となる。
【発明の効果】
【００１８】
本発明によれば、フレームの見込み面を構成する部分に内径の異なる挿通孔を形成することにより、フレームの見込み面からブロック本体の当接面までの距離を変更することができる。従って、調整作業を行うことなく、フレームの見込み面と面材の端面との間の隙間寸法が異なる建具の間でセッティングブロックを共用することが可能となる。
【図面の簡単な説明】
【００１９】
【図１】図１は、本発明の実施の形態１である建具の要部を示す縦断面図である。
【図２】図２は、図１に示した建具においてセッティングブロックを取り外した状態の縦断面図である。
【図３】図３は、図１に示した建具を室内側から見た図である。
【図４】図４は、図１に示した建具に適用するセッティングブロックの斜視図である。
【図５】図５は、図４に示したセッティングブロックを長辺側から見た側面図である。
【図６】図６は、図４に示したセッティングブロックを短辺側から見た側面図である。
【図７】図７は、本発明の実施の形態２である３種類の建具を示すもので、（ａ）は框基部の上面から上端位置までの距離がＸに設定されたものの要部縦断面図、（ｂ）は框基部の上面から上端位置までの距離がＸ＋ａに設定されたものの要部縦断面図、（ｃ）は框基部の上面から上端位置までの距離がＸ＋ａ＋ｂに設定されたものの要部縦断面図である。
【図８】図８は、図７の（ａ）、（ｂ）、（ｃ）それぞれに示した建具においてセッティングブロックを取り外した状態の縦断面図である。
【図９】図９は、本発明の実施の形態３である２種類の建具を示すもので、（ａ）は框基部の上面から上端位置までの距離が短いものの要部縦断面図、（ｂ）は框基部の上面から上端位置までの距離が長いものの要部縦断面図である。
【図１０】図１０は、図９の（ａ）、（ｂ）それぞれに示した建具においてセッティングブロックを取り外した状態の縦断面図である。
【図１１】図１１は、セッティングブロックの変形例１を長辺側から見た側面図である。
【図１２】図１２は、本発明の実施の形態４である２種類の建具を示すもので、（ａ）は面材の飲み込み深さを大きく設定したものの要部縦断面図、（ｂ）は（ａ）と同じ下框を適用して面材の飲み込み深さを小さく設定したものの要部縦断面図である。
【図１３】図１３は、図１２の（ａ）、（ｂ）それぞれに示した建具においてセッティングブロックを取り外した状態の縦断面図である。
【図１４】図１４は、セッティングブロックの変形例２を長辺側から見た側面図である。
【図１５】図１５は、セッティングブロックの変形例３を示したもので、（ａ）は斜視図、（ｂ）は側面図である。
【発明を実施するための形態】
【００２０】
以下、添付図面を参照しながら本発明に係るセッティングブロック及び建具の好適な実施の形態について詳細に説明する。
【００２１】
（実施の形態１）
図１及び図２は、本発明の実施の形態１であるセッティングブロックを適用した建具の要部を示したものである。ここで例示する建具は、図３に示すように、開口枠１０と左右２枚の障子２０，３０とを備え、開口枠１０に対して室内側に配設した障子３０のみを左右方向にスライドさせて開閉する、いわゆる「片引き窓」と称されるものである。
【００２２】
開口枠１０は、上枠１１、下枠１２及び一対の縦枠１３を四周枠組みすることによって構成したものである。開口枠１０の室外側に配設した障子（以下、「固定障子２０」という）は、外形が矩形状を成す面材２１と、面材２１の四周に設けた上框２２、下框２３及び左右の縦框２４とによって構成したものである。開口枠１０の室内側に配設した障子（以下、「可動障子３０」という）は、外形が矩形状を成す面材３１と、面材３１の四周に設けた上框３２、下框３３及び左右の縦框３４とによって構成したものである。固定障子２０を構成するそれぞれの框２２，２３，２４及び可動障子３０を構成するそれぞれの框３２，３３，３４は、いずれもアルミニウム等の金属もしくは樹脂材によって成形した押し出し形材であり、全長にわたってほぼ一様な断面形状を有するように構成してある。本実施の形態１の建具では、下框２３の見込み面と面材２１の下端面との間、並びに下框３３の見込み面と面材３１の下端面との間に、それぞれセッティングブロック４０を配設するようにしている。以下、セッティングブロック４０を配設する下框２３及び下框３３の構成について詳述し、併せて本願発明の特徴部分について説明する。尚、以下においては便宜上、固定障子２０の構成要素を固定面材２１、固定上框２２、固定下框２３、固定縦框２４と称し、可動障子３０の構成要素を可動面材３１、可動上框３２、可動下框３３、可動縦框３４と称して両者を区別することとする。
【００２３】
図１及び図２に示すように、固定下框２３は、角筒状を成す框基部２３１と、框基部２３１の上面（見込み面）２３１ａに設けた一対の押縁係合ヒレ部２３２と、固定面材２１の室外側表面に対向する当接ヒレ部２３３とを一体に成形したものである。框基部２３１は、見付け方向に沿った寸法が見込み方向に沿った寸法に対してほぼ３倍の長さを有したもので、下壁部分から下方に突出した固定ヒレ部２３４を介して下枠１２の固定用レール部１２１に固定してある。押縁係合ヒレ部２３２は、框基部２３１の上壁部分において室内側に位置する縁部と室外側に位置する縁部とからそれぞれ上方に突出した後、互いに対向する向きに屈曲したものである。これらの押縁係合ヒレ部２３２は、互いの間に押縁２３５の係合片２３５ａが装着された場合に係合片２３５ａに係合することにより、固定下框２３に対して押縁２３５を着脱可能に保持するように機能する。固定下框２３に保持された押縁２３５は、室内側に設けた押縁係合ヒレ部２３２の上端から上方に向けて突出し、室内側に臨む面が框基部２３１の室内側に臨む見付け面と同一平面上に位置した状態となる。当接ヒレ部２３３は、室外側に設けた押縁係合ヒレ部２３２の上端部から室外側に向けて水平に延在した後、上方に向けて屈曲したものである。当接ヒレ部２３３の上方への突出高さは、固定下框２３に装着した押縁２３５の上方への突出高さと同じになるように構成してある。これら当接ヒレ部２３３と押縁２３５との間には、框基部２３１の見込み方向に沿った寸法に対してほぼ２倍の寸法を有したガラス収容溝２３６が構成してある。
【００２４】
一方、可動障子３０の可動下框３３は、角筒状を成す框基部３３１と、框基部３３１の上面（見込み面）３３１ａに設けた第１当接ヒレ部３３２及び第２当接ヒレ部３３３とを一体に成形したものである。框基部３３１は、見付け方向に沿った寸法が見込み方向に沿った寸法に対してほぼ２倍の長さを有したものである。この框基部３３１の適宜箇所には、下枠１２の可動用レール部１２２を走行する戸車３５が配設してある。第１当接ヒレ部３３２は、框基部３３１の室外側に位置する縁部から上方に向けて突出したもので、框基部３３１の室外側に臨む見付け面と同一平面上に位置するように設けてある。第２当接ヒレ部３３３は、框基部３３１の室内側に位置する縁部から室内側に向けて水平に延在した後、上方に向けて屈曲したものである。室外側に設けた当接ヒレ部２３３の上端部から室外側に向けて水平に延在した後、上方に向けて屈曲したものである。第２当接ヒレ部３３３の上方への突出高さは、第１当接ヒレ部３３２の上方への突出高さと同じになるように構成してある。これら第１当接ヒレ部３３２と第２当接ヒレ部３３３との間には、固定下框２３に構成したガラス収容溝２３６とほぼ同じ寸法を有したガラス収容溝３３４が構成してある。
【００２５】
図１からも明らかなように、固定下框２３及び可動下框３３をそれぞれ下枠１２に配置した状態では、固定下框２３において最も上方となる押縁係合ヒレ部２３２の上端位置と、可動下框３３において最も上方となる第１当接ヒレ部３３２及び第２当接ヒレ部３３３の上端位置とがほぼ一致することになるものの、押縁係合ヒレ部２３２の分だけ固定下框２３の方が框基部２３１の上面２３１ａが低い位置となっている。すなわち、框基部２３１，３３１の上面２３１ａ，３３１ａからそれぞれの上端位置までの距離（以下、「収容溝高さ２３Ａ，３３Ａ」という）については、固定下框２３と可動下框３３とで互いに異なるように構成してある。
【００２６】
上記のように構成した固定下框２３及び可動下框３３には、面材２１，３１の飲み込み深さが同一となるように、それぞれのガラス収容溝２３６，３３４に共通のセッティングブロック４０を装着した状態で固定面材２１及び可動面材３１が配設してある。セッティングブロック４０は、図４〜図６に示すように、長辺及び短辺を有した直方体状を成すブロック本体４１と、ブロック本体４１の下面（基端面）４１ａから突出した挿入部４２とを有したもので、ポリプロピレン等の樹脂材によって一体に成形してある。
【００２７】
ブロック本体４１の短辺は、固定下框２３及び可動下框３３に構成したガラス収容溝２３６，３３４の見込み方向に沿った寸法よりも短い長さに形成してある。ブロック本体４１の上面（当接面）４１ｂには、複数の溝４１ｃが設けてある。溝４１ｃは、ブロック本体４１の縦横に沿って複数本ずつ形成したものである。それぞれの溝４１ｃの端部は、ブロック本体４１の側面に開口している。尚、溝４１ｃの交わる部分には、上面４１ｂから下面４１ａにわたる部位に貫通孔４１ｄが形成してある。
【００２８】
挿入部４２は、図５に示すように、ブロック本体４１の長辺方向においては中央となり、図６に示すように、短辺方向においては一方に偏った位置に設けたもので、第１挿入部分４２ａ及び第２挿入部分４２ｂを有している。第１挿入部分４２ａ及び第２挿入部分４２ｂは、それぞれ外径の異なる円柱状部材であり、互いに中心軸が一致するように構成してある。第１挿入部分４２ａは、ブロック本体４１の下面４１ａから突出したもので、第２挿入部分４２ｂよりも大きな外径を有している。第１挿入部分４２ａと第２挿入部分４２ｂとの間には、ブロック本体４１の下面４１ａと平行となる支持面４２ｃが周囲全周に構成してある。この支持面４２ｃは、ブロック本体４１の下面４１ａからの距離が固定下框２３における框基部２３１の上面２３１ａから押縁係合ヒレ部２３２の上面までの距離と等しくなるように設定してある。
【００２９】
また、挿入部４２には、第１挿入部分４２ａに平面部４２ｄ及び係止片部４２ｅを有している。平面部４２ｄは、第１挿入部分４２ａの外周面を一部切除するようにして設けた平面であり、挿入部４２の軸心に沿って形成してある。係止片部４２ｅは、第１挿入部分４２ａの平面部４２ｄに設けた舌片状部材であり、第１挿入部分４２ａにおいて第２挿入部分４２ｂに近接した部分からブロック本体４１に向かうに従って漸次平面部４２ｄから離隔するように傾斜している。係止片部４２ｅの先端部は、通常状態においては第１挿入部分４２ａの外周面よりも外方に突出する一方、外力を加えた場合には平面部４２ｄに近接する方向に弾性的に変形することが可能である。
【００３０】
上述のセッティングブロック４０を固定下框２３のガラス収容溝２３６及び可動下框３３のガラス収容溝３３４に装着する場合には、予め框基部２３１，３３１の上壁部分にそれぞれ挿入部４２を挿通させるための挿通孔２３１ｂ，３３１ｂを形成する。ここで、固定下框２３の框基部２３１に形成する挿通孔２３１ｂの内径は、セッティングブロック４０の挿入部４２において第２挿入部分４２ｂを挿通可能、かつ第１挿入部分４２ａを挿通不可とする値に設定する。一方、可動下框３３の框基部３３１に形成する挿通孔３３１ｂの内径は、セッティングブロック４０の挿入部４２において第１挿入部分４２ａを挿通可能、かつブロック本体４１を挿通不可とする値に設定してある。
【００３１】
上述の固定下框２３に対しては、挿通孔２３１ｂにセッティングブロック４０の挿入部４２を挿入すると、図１に示すように、第２挿入部分４２ｂのみが挿通され、支持面４２ｃが框基部２３１の上面２３１ａに当接することになる。またこのとき、ブロック本体４１の下面４１ａは、当接ヒレ部２３３において押縁係合ヒレ部２３２の上端部から水平方向に延在した部分に当接した状態となる。従って、固定下框２３に対してセッティングブロック４０が安定した状態で装着されることになり、ガラス収容溝２３６に複層ガラス等の固定面材２１を配置した場合に固定下框２３における框基部２３１の上面２３１ａから固定面材２１の下端面までの間に所望の隙間を確保することが可能となる。
【００３２】
一方、上述の可動下框３３に対しては、挿通孔３３１ｂにセッティングブロック４０の挿入部４２を挿入すると、第１挿入部分４２ａまで挿通され、ブロック本体４１の下面４１ａが框基部３３１の上面３３１ａ及び第２当接ヒレ部３３３の水平に延在した部分に当接した状態となる。従って、可動下框３３に対してセッティングブロック４０が安定した状態で装着されることになり、ガラス収容溝３３４に複層ガラス等の可動面材３１を配置した場合に可動下框３３における框基部３３１の上面３３１ａから可動面材３１の下端面までの間に所望の隙間を確保することが可能となる。しかも、係止片部４２ｅが框基部３３１の上壁部分に当接することになるため、セッティングブロック４０が不用意に脱落する事態を招来するおそれもない。
【００３３】
上述したように、固定下框２３と可動下框３３とでは、収容溝高さ２３Ａ，３３Ａが互いに異なるものの、框基部２３１，３３１の上壁部分に形成する挿通孔２３１ｂ，３３１ｂの内径を変更することで、共通のセッティングブロック４０を適用して面材２１，３１の飲み込み深さが同一となるように固定障子２０及び可動障子３０を構成することが可能となる。しかも、セッティングブロック４０については、何ら調整作業を要することがないため、組立作業が煩雑化することもない。
【００３４】
尚、上述した実施の形態１では、挿入部４２が第１挿入部分４２ａ及び第２挿入部分４２ｂのみを有するように構成したセッティングブロック４０を例示しているが、互いに外径の異なる挿入部４２分を３種類以上有するように挿入部４２を構成することも可能である。
【００３５】
（実施の形態２）
例えば、図７〜図８に示す実施の形態２のように、挿入部１４２が３種類の挿入部分１４２ａ，１４２ｂ，１４２ｃを有するように構成した場合には、収容溝高さが互いに相違する３種類の下框５０，６０，７０に対してセッティングブロック１４０を共用し、かつ面材５１，６１，７１の飲み込み深さが同一となるように構成することが可能である。
【００３６】
より具体的に説明すると、３種類の下框５０，６０，７０は、収容溝高さ５３Ａ，６３Ａ，７３Ａが互いに相違するもので、図７の（ａ）及び図８の（ａ）に示す第１種下框５０の収容溝高さ５３ＡをＸとした場合、図７の（ｂ）及び図８の（ｂ）に示す第２種下框６０の収容溝高さ６３ＡがＸ＋ａであり、図７の（ｃ）及び図８の（ｃ）に示す第３種下框７０の収容溝高さ７３ＡがＸ＋ａ＋ｂであるとする。すなわち、図７〜図８に示すように、第１種下框５０では、第１当接ヒレ部５３２が框基部５３１の室内側に位置する縁部から上方に向けて突出し、第２当接ヒレ部５３３が框基部５３１の室外側に位置する縁部から室外側に向けて水平に延在した後、上方に向けて屈曲している。第２種下框６０では、第１当接ヒレ部６３２が框基部６３１の室内側に位置する縁部から上方に向けて突出し、第２当接ヒレ部６３３が框基部６３１の室外側に位置する縁部から高さａだけ上方に突出した後に室外側に向けて水平に延在し、さらに上方に向けて屈曲している。第３種下框７０では、第１当接ヒレ部７３２が框基部７３１の室内側に位置する縁部から上方に向けて突出し、第２当接ヒレ部７３３が框基部７３１の室外側に位置する縁部から高さａ＋ｂだけ上方に突出した後に室外側に向けて水平に延在し、さらに上方に向けて屈曲している。
【００３７】
これらの３種類の下框５０，６０，７０に共用するセッティングブロック１４０には、直方体状を成すブロック本体１４１に対して３種類の挿入部分１４２ａ，１４２ｂ，１４２ｃを有した挿入部１４２が設けてある。３種類の挿入部分１４２ａ，１４２ｂ，１４２ｃは、それぞれ外径の異なる円柱状部材であり、互いに中心軸が一致するように設けてある。ブロック本体１４１の下面４１ａから突出した第１挿入部分１４２ａは、最も太径に構成したもので、軸方向に沿った長さがａである。第２挿入部分１４２ｂは、第１挿入部分１４２ａよりも外径を小さく構成したもので、軸方向に沿った長さがｂである。第３挿入部分１４２ｃは、第２挿入部分１４２ｂよりも外径を小さく構成したものである。第１挿入部分１４２ａと第２挿入部分１４２ｂとの間には、ブロック本体１４１の下面（基端面）１４１ａと平行となる第１支持面１４２ｄが周囲全周に構成してある。同様に、第２挿入部分１４２ｂと第３挿入部分１４２ｃとの間には、ブロック本体１４１の下面１４１ａと平行となる第２支持面１４２ｅが周囲全周に構成してある。図には明示していないが、第１挿入部分１４２ａ、第２挿入部分１４２ｂ及び第３挿入部分１４２ｃのそれぞれには、二面幅が設けてあり、さらにそれぞれの二面幅にはブロック本体１４１に向けて漸次外方に突出するように弾性係合突起１４２ｆが設けてある。尚、実施の形態２のセッティングブロック１４０もポリプロピレン等の樹脂材によって一体に成形してあるのは実施の形態１と同様である。
【００３８】
上述のセッティングブロック１４０をそれぞれの下框５０，６０，７０のガラス収容溝５３４，６３４，７３４に装着する場合には、予め框基部５３１，６３１，７３１の上壁部分にそれぞれ挿入部１４２を挿通させるための挿通孔５３１ｂ，６３１ｂ，７３１ｂを形成する。第１種下框５０の框基部５３１に形成する挿通孔５３１ｂの内径は、セッティングブロック１４０の挿入部１４２において第１挿入部分１４２ａを挿通可能、かつブロック本体１４１を挿通不可とする値に設定してある。第２種下框６０の框基部６３１に形成する挿通孔６３１ｂの内径は、セッティングブロック１４０の挿入部１４２において第２挿入部分１４２ｂを挿入可能、かつ第１挿入部分１４２ａを挿通不可とする値に設定する。第３種下框７０の框基部７３１に形成する挿通孔７３１ｂの内径は、セッティングブロック１４０の挿入部１４２において第３挿入部分１４２ｃを挿通可能、かつ第２挿入部分１４２ｂを挿通不可とする値に設定してある。
【００３９】
上述の第１種下框５０に対しては、図７の（ａ）及び図８の（ａ）に示すように、挿通孔５３１ｂにセッティングブロック１４０の挿入部１４２を挿入すると、第１挿入部分１４２ａまで挿通され、ブロック本体１４１の下面１４１ａが框基部５３１の上面５３１ａ（見込み面）及び第２当接ヒレ部５３３の水平に延在した部分に当接した状態となる。従って、第１種下框５０に対してセッティングブロック１４０が安定した状態で装着されることになり、ガラス収容溝５３４に複層ガラス等の面材５１を配置してブロック本体１４１の上面（当接面）１４１ｂに当接させた場合に第１種下框５０における框基部５３１の上面５３１ａから面材５１の下端面までの間に所望の隙間を確保することが可能となる。
【００４０】
一方、第２種下框６０や第３種下框７０に対しては、図７の（ｂ）及び図８（ｂ）、図７の（ｃ）及び図８の（ｃ）に示すように、挿通孔６３１ｂ，７３１ｂにセッティングブロック１４０の挿入部１４２を挿入した場合にも、第１挿入部分１４２ａは挿通できない。つまり、第２種下框６０においては、第２挿入部分１４２ｂまでが挿通され、第１支持面１４２ｄが框基部６３１の上面（見込み面）６３１ａに当接することになる。このとき、ブロック本体１４１の下面１４１ａは、第２当接ヒレ部６３３の水平に延在した部分に当接した状態となる。同様に、第３種下框７０においては、第３挿入部分１４２ｃまでが挿通され、第２支持面１４２ｅが框基部７３１の上面（見込み面）７３１ａに当接することになる。このとき、ブロック本体１４１の下面１４１ａは、第２当接ヒレ部７３３の水平に延在した部分に当接した状態となる。従って、第２種下框６０及び第３種下框７０に対しては、いずれもセッティングブロック１４０が安定した状態で装着されることになり、ガラス収容溝６３４，７３４に複層ガラス等の面材６１，７１を配置してブロック本体１４１の上面１４１ｂに当接させた場合に框基部６３１，７３１の上面６３１ａ，７３１ａから面材６１，７１の下端面までの間に所望の隙間を確保することが可能となる。
【００４１】
上述したように、第１種下框５０、第２種下框６０及び第３種下框７０においては、収容溝高さ５３Ａ，６３Ａ，７３Ａが互いに異なるものの、框基部５３１，６３１，７３１の上壁部分に形成する挿通孔５３１ｂ，６３１ｂ，７３１ｂの内径を変更することで、共通のセッティングブロック１４０を適用して面材５１，６１，７１の飲み込み深さが同一となるようにそれぞれ障子を構成することが可能となる。しかも、セッティングブロック１４０については、何ら調整作業を要することがないため、組立作業が煩雑化することもない。
【００４２】
尚、上述した実施の形態１及び実施の形態２においては、いずれもブロック本体の下面を当接ヒレ部の水平方向に延在した部分に当接させるようにしたものを例示しているが、必ずしもこれに限定されず、框基部の上壁部分にのみ当接するようにセッティングブロックを構成すれば良い。
【００４３】
（実施の形態３）
図９〜図１０に示す実施の形態３では、框基部８３１，９３１に設けた一対の当接ヒレ部８３３，９３３の突出長さが異なる２種類の下框８０，９０に対して面材８１，９１の飲み込み深さが互いに同一となるように障子を構成する場合に適用するセッティングブロック２４０を示したものである。セッティングブロック２４０は、長辺及び短辺を有した直方体状を成すブロック本体２４１と、ブロック本体２４１の下面（基端面）２４１ａから突出した挿入部２４２とを有したもので、ポリプロピレン等の樹脂材によって一体に成形してある。挿入部２４２は、実施の形態１と同様、円柱状を成す第１挿入部分２４２ａ及び第２挿入部分２４２ｂを有したものである。挿入部２４２の第１挿入部分２４２ａは、ブロック本体２４１の下面２４１ａから突出し、かつ第２挿入部分２４２ｂよりも大きな外径を有している。第１挿入部分２４２ａと第２挿入部分２４２ｂとの間には、ブロック本体２４１の下面２４１ａと平行となる支持面２４２ｃが周囲全周に構成してある。この支持面２４２ｃは、ブロック本体２４１の下面２４１ａからの距離が、２種類の下框８０，９０における当接ヒレ部８３３，９３３の突出長さの差と等しくなるように設定してある。
【００４４】
挿入部２４２は、ブロック本体２４１において長辺方向及び短辺方向のそれぞれの中央となる位置に唯一設けても良いが、図１１の変形例１に示すように、ブロック本体２４１の長手方向に沿って複数の位置に設けるようにしても良い。
【００４５】
上述のセッティングブロック２４０をそれぞれの下框８０，９０のガラス収容溝８３４，９３４に装着する場合には、図９〜図１０に示すように、予め框基部８３１，９３１の上壁部分にそれぞれ挿入部２４２を挿通させるための挿通孔８３１ｂ，９３１ｂを形成する。当接ヒレ部８３３の突出長さが小さい第１下框８０に対しては、框基部８３１に形成する挿通孔８３１ｂの内径がセッティングブロック２４０の挿入部２４２において第１挿入部分２４２ａを挿通可能、かつブロック本体２４１を挿通不可とする値に設定してある。当接ヒレ部９３３の突出長さが大きい第２下框９０に対しては、框基部９３１に形成する挿通孔９３１ｂの内径がセッティングブロック２４０の挿入部２４２において第２挿入部分２４２ｂを挿入可能、かつ第１挿入部分２４２ａを挿通不可とする値に設定する。
【００４６】
上述の第１下框８０に対しては、図９の（ａ）及び図１０の（ａ）に示すように、挿通孔８３１ｂにセッティングブロック２４０の挿入部２４２を挿入すると、第１挿入部分２４２ａまで挿通され、ブロック本体２４１の下面２４１ａが框基部８３１の上面（見込み面）８３１ａに当接した状態となる。従って、框基部８３１の上面８３１ａからはブロック本体２４１のみが突出することになり、面材８１をブロック本体２４１の上面（当接面）２４１ｂに当接させれば、框基部８３１の上面８３１ａから面材８１の下端面までの間にブロック本体２４１の高さに等しい隙間を確保した状態で面材８１を支持することが可能となる。
【００４７】
一方、第２下框９０に対しては、図９の（ｂ）及び図１０の（ｂ）に示すように、挿通孔９３１ｂにセッティングブロック２４０の挿入部２４２を挿入した場合にも、第２挿入部分２４２ｂまでが挿通され、支持面２４２ｃが框基部９３１の上面（見込み面）９３１ａに当接することになる。従って、框基部９３１の上面９３１ａからはブロック本体２４１と第１挿入部分２４２ａが突出することになり、面材９１をブロック本体２４１の上面２４１ｂに当接させれば、框基部９３１の上面９３１ａから面材９１の下端面までの間にブロック本体２４１と第１挿入部分２４２ａとの和に等しい隙間を確保した状態で面材９１を支持することが可能となる。
【００４８】
上述したように、第１下框８０及び第２下框９０においては、当接ヒレ部８３３，９３３の突出長さが異なるものの、框基部８３１，９３１の上壁部分に形成する挿通孔８３１ｂ，９３１ｂの内径を変更することで、共通のセッティングブロック２４０を適用して面材８１，９１の飲み込み深さが同一となるようにそれぞれ障子を構成することが可能となる。しかも、セッティングブロック２４０については、何ら調整作業を要することがないため、組立作業が煩雑化することもない。
【００４９】
（実施の形態４）
図１２〜図１３に示す実施の形態４では、実施の形態３で適用したセッティングブロック２４０を適用し、形状が同じ下框１００に対して面材１０１の飲み込み深さが互いに異なるように障子を構成する場合について説明を行う。
【００５０】
上述のセッティングブロック２４０をそれぞれの下框１００のガラス収容溝１０３４に装着する場合には、予め框基部１０３１の上壁部分にそれぞれ挿入部２４２を挿通させるための挿通孔１０３１ｂ１，１０３１ｂ２を形成する。面材１０１の飲み込み深さを大きく設定する第１下框１００に対しては、図１２の（ａ）及び図１３の（ａ）に示すように、框基部１０３１に形成する挿通孔１０３１ｂ１の内径がセッティングブロック２４０の挿入部２４２において第１挿入部分２４２ａを挿通可能、かつブロック本体２４１を挿通不可とする値に設定してある。面材１０１の飲み込み深さを小さく設定する第２下框１００に対しては、図１２の（ｂ）及び図１３の（ｂ）に示すように、框基部１０３１に形成する挿通孔１０３１ｂ２の内径がセッティングブロック２４０の挿入部２４２において第２挿入部分２４２ｂを挿入可能、かつ第１挿入部分２４２ａを挿通不可とする値に設定する。
【００５１】
上述の第１下框１００に対しては、図１２の（ａ）及び図１３の（ａ）に示すように、挿通孔１０３１ｂ１にセッティングブロック２４０の挿入部２４２を挿入すると、第１挿入部分２４２ａまで挿通され、ブロック本体２４１の下面（基端面）２４１ａが框基部１０３１の上面（見込み面）１０３１ａに当接した状態となる。従って、框基部１０３１の上面１０３１ａからはブロック本体２４１のみが突出することになり、面材１０１をブロック本体２４１の上面（当接面）２４１ｂに当接させれば、第１下框１００に対して面材１０１の飲み込み深さが大きく設定された状態で、換言すれば、框基部１０３１の上面１０３１ａから面材１０１の下端面までの間に小さい隙間を確保した状態で面材１０１を支持することが可能となる。
【００５２】
一方、第２下框１００に対しては、図１２の（ｂ）及び図１３の（ｂ）に示すように、挿通孔１０３１ｂ２にセッティングブロック２４０の挿入部２４２を挿入した場合にも、第２挿入部分２４２ｂまでが挿通され、支持面２４２ｃが框基部１０３１の上面１０３１ａに当接することになる。従って、框基部１０３１の上面１０３１ａからはブロック本体２４１と第１挿入部分２４２ａが突出することになり、面材１０１をブロック本体２４１の上面２４１ｂに当接させれば、第２下框１００に対して面材１０１の飲み込み深さが小さく設定された状態で、換言すれば、框基部１０３１の上面１０３１ａから面材１０１の下端面までの間に大きな隙間を確保した状態で面材１０１を支持することが可能となる。
【００５３】
上述したように、第１下框１００及び第２下框１００においては、面材１０１の飲み込み深さが異なるものの、框基部１０３１の上壁部分に形成する挿通孔１０３１ｂ１，１０３１ｂ２の内径を変更することで、共通のセッティングブロック２４０を適用してそれぞれ障子を構成することが可能となる。しかも、セッティングブロック２４０については、何ら調整作業を要することがないため、組立作業が煩雑化することもない。
【００５４】
尚、上述した実施の形態１〜実施の形態４では、下框にのみセッティングブロックを設けた片引き窓を例示しているが、セッティングブロックを設ける場所は必ずしも下框のみに限らず、縦框に設けるようにしても良い。また、も引き違い窓や嵌め殺し窓等、その他の建具にも適用することが可能である。嵌め殺し窓に適用する場合には、開口枠がフレームに相当する構成となる。
【００５５】
また、上述した実施の形態１〜実施の形態４では、挿入部の第１挿入部分と第２挿入部分との間にブロック本体の基端面と平行となる支持面を設けるようにしているが、第１挿入部分と第２挿入部分との間の外径を連続的に変化させ、テーパ状を成すように挿入部を構成することも可能である。挿入部をテーパ状に形成した場合には、フレームの壁部分に形成する挿通孔の内径を適宜変更することにより、ブロック本体の当接面の位置を任意に変更することが可能となる。
【００５６】
さらに、上述した実施の形態１〜実施の形態４においては、セッティングブロックの挿入部として円柱状を成すものを例示しているが、必ずしも円柱状を成すものに限らず、角柱状を成すように構成しても良い。さらに、実施の形態３及び実施の形態４のように、セッティングブロックを框基部の上面にのみ当接させるように構成した場合に、ブロック本体の長手方向に沿って円柱状を成す挿入部を複数設ければ、セッティングブロックを安定した状態でフレームに装着することができるが、本発明はこれに限定されず、例えば図１４に示す変形例２のセッティングブロック３４０のように、ブロック本体３４１の長辺に沿って連続するように幅広の楕円状を成す第１挿入部分３４２ａ及び第２挿入部分３４２ｂを有した挿入部３４２を設けるようにしても、同様の作用効果を奏することが可能である。
【００５７】
またさらに、上述した実施の形態１〜実施の形態４では、下框の見込み面と面材の下端面との間にのみセッティングブロックを配設したものを例示しているが、縦框の見込み面と面材の側端面とのセッティングブロックを配設するようにしても良い。縦框の見込み面と面材の側端面との間に配設するセッティングブロックは、面材の荷重を受ける機能よりも縦框の見込み面と面材の側端面との間に隙間を確保することが主な機能となる。従って、ブロック本体としては、必ずしも直方体状に構成する必要はなく、例えば図１５の（ａ）及び（ｂ）に示す変形例３のセッティングブロック４４０のように、ブロック本体４４１を円柱状に形成しても良い。セッティングブロック４４０の挿入部４４２としては、ブロック本体４４１と同心上となる位置に円柱状の第１挿入部分４４２ａ及び第２挿入部分４４２ｂを設ければ良い。
【符号の説明】
【００５８】
２１，３１，５１，６１，７１，８１，９１，１０１  面材、２３，３３，５０，６０，７０，８０，９０，１００  下框、２３１，３３１，５３１，６３１，７３１，８３１，９３１，１０３１  框基部、２３１ａ，３３１ａ，５３１ａ，６３１ａ，７３１ａ，８３１ａ，９３１ａ，１０３１ａ  上面、２３１ｂ，３３１ｂ，５３１ｂ，６３１ｂ，７３１ｂ，８３１ｂ，９３１ｂ，１０３１ｂ１，１０３１ｂ２  挿通孔、４０，１４０，２４０，３４０，４４０  セッティングブロック、４１，１４１，２４１，３４１，４４１  ブロック本体、４１ａ，１４１ａ，２４１ａ  下面、４１ｂ，１４１ｂ，２４１ｂ  上面、４２，１４２，２４２，４４２  挿入部、４２ａ，１４２ａ，２４２ａ，３４２ａ，４４２ａ  第１挿入部分、４２ｂ，１４２ｂ，２４２ｂ，３４２ｂ，４４２ｂ  第２挿入部分、１４２ｃ  第３挿入部分、４２ｃ，１４２ｄ，１４２ｅ，２４２ｃ  支持面
【図１】
2016044395.tif 000003
【図２】
2016044395.tif 000004
【図３】
2016044395.tif 000005
【図４】
2016044395.tif 000006
【図５】
2016044395.tif 000007
【図６】
2016044395.tif 000008
【図７】
2016044395.tif 000009
【図８】
2016044395.tif 000010
【図９】
2016044395.tif 000011
【図１０】
2016044395.tif 000012
【図１１】
2016044395.tif 000013
【図１２】
2016044395.tif 000014
【図１３】
2016044395.tif 000015
【図１４】
2016044395.tif 000016
【図１５】
2016044395.tif 000017